(57)【要約】【課題】開かれた時に新鮮さの芳香を放出するシガレットパック又は他のパッケージを提供する。【解決手段】ガレットパッケージ（２２）の周りの上包装（２０）のようなパッケージの上包装（２０）上に形成された密封ポケット（１９）に、芳香物（１８）（３８）（４８）が設けられる。芳香物（１８）（３８）（４８）を収容するポケット（１９）は、引き裂き用ストリップ（１４）に近接して配置される。引き裂き用ストリップ（１４）がパッケージに沿って引っ張られてそこから取り除かれると、ポケット（１９）が開かれ、芳香物（１８）（３８）（４８）が空気に露出され、芳香が放出される。【選択図】図５
2008545597.tif 000002
【特許請求の範囲】
【請求項１】
パッケージの周りに包装されたフィルムを含む製品であって、
引き裂き用ストリップが、パッケージに面するフィルムの側面上に形成され、該引き裂き用ストリップに整列した引き裂きテープが、該パッケージから離れる方向に向く該フィルムの側面に取り付けられている、
ことを特徴とする製品。
【請求項２】
前記引き裂きテープは、芳香性コーティングと接着性コーティングとを含む基体を含み、
芳香が、前記引き裂き用ストリップを引き裂きテープを横切って引っ張り前記芳香性コーティングを露出させることによって放出される、
ことを特徴とする請求項１に記載の製品。
【請求項３】
前記芳香は、芳香ポケットから放出されることを特徴とする請求項２に記載の製品。
【請求項４】
前記引き裂きテープは、前記パッケージの表面に沿って前記引き裂き用ストリップを引っ張る時の該引き裂きテープ及びフィルムの薄切りを容易にする小さなカットを含むことを特徴とする請求項１に記載の製品。
【請求項５】
前記引き裂きテープは、前記フィルムの下部部分上に保持されていることを特徴とする請求項３に記載の製品。
【請求項６】
前記引き裂きテープは、前記フィルムの上部部分上に保持されていることを特徴とする請求項３に記載の製品。
【請求項７】
パッケージの周りに包装されたフィルムと、
芳香性物質を封入する複数の層を含むラベルと、
前記ラベルを前記フィルムに結合する第１の接着剤と、
前記芳香性物質が前記ラベルから放出されるように前記フィルム及び前記ラベルを通して薄切りするための引き裂き用ストリップと、
を含むことを特徴とする製品。
【請求項８】
前記ラベルの少なくとも一部分は、前記引き裂き用ストリップから正反対側の前記フィルムの外側に位置していることを特徴とする請求項７に記載の製品。
【請求項９】
前記部分は、前記ラベルの縁部であることを特徴とする請求項８に記載の製品。
【請求項１０】
前記ラベルの第１の外側層は、第２の接着剤を使用して該ラベルの第２の外側層に取り付けられ、該第２の外側層は、前記第１の接着剤を用いて前記フィルムに結合されることを特徴とする請求項９に記載の製品。
【請求項１１】
前記第１の外側層の一部分は、前記第２の外側層の一部分と重なっており、
前記第１の外側層の前記部分は、前記引き裂き用ストリップから正反対側の前記フィルムの前記外側に位置した前記ラベルの前記部分であり、前記第２の層に重なる該第１の外側層の該部分には、第３の接着剤が設けられる、
ことを特徴とする請求項１０に記載の製品。
【請求項１２】
前記第１の接着剤は、前記第２の接着剤よりも強力であることを特徴とする請求項１０に記載の製品。
【請求項１３】
前記第３の接着剤は、前記第２の接着剤よりも強力であることを特徴とする請求項１１に記載の製品。
【請求項１４】
パッケージの周りに包装されたフィルムと、
支持層、
ラベルを前記フィルムに取り付けるために前記支持層の第１の側面上にかつ該支持層の縁部に沿って形成された接着剤、及び
前記接着剤によって取り囲まれて前記フィルムへの前記ラベルの前記取付によって封入された前記支持層の前記第１の側面上に形成された芳香性物質、
を含む、前記フィルムに取り付けられたラベルと、
前記芳香性物質が前記ラベルから放出されるように、前記フィルムを通して薄切りされ、かつ該ラベルの少なくとも一部分を該フィルムから分離するための引き裂き用ストリップと、
を含むことを特徴とする製品。
【請求項１５】
芳香性ラベルをパッケージに取り付ける方法であって、
担体テープに開口を設ける段階と、
ラベルを、該ラベルが前記開口の周りで前記担体テープに接触し、かつ該ラベルが該開口を覆うように該担体テープに取り付ける段階と、
担体フィルムの開口を通して前記ラベルに芳香性物質を付加する段階と、
前記ラベルを前記担体テープからフィルムに転送する段階と、
前記フィルムを用いて前記パッケージを包装する段階と、
を含むことを特徴とする方法。
【発明の詳細な説明】
【背景技術】
【０００１】
シガレットのパッケージ化は公知である。シガレットパックは、通常はパックの中のシガレットの周りに包装されたホイル層、ホイル層の周りに包装された紙又は板紙、及びシガレットの新鮮さを維持するためにパック全体の周りに包装されて密封された一般的に金属フィルム又はポリエチレンのようなポリマー材料の透明フィルムを含む上包装の層を含む。フィルムがパックの周りに包装される前に、一般的にポリプロピレンのようなポリマーから成る材料の薄いストリップが、フィルムの内側に設けられる。「引き裂き用ストリップ」と呼ばれるこの材料のストリップは、通例、フィルムよりも高密度で強く、通例、パックの側面において包装紙から突出していて、ポリマー包装紙を切り開くために引っ張られる。
【０００２】
Ｓｐｒｉｎｋｅｌ，Ｊｒ．他に付与された米国特許第４，７１７，０１７号は、シガレットパックのポリマーフィルムの外側か又はフィルムと引き裂き用ストリップの間とすることができる容器の使用を教示している。容器には、芳香性物質が充填される。引き裂き用ストリップが引っ張られてポリマーフィルムが切り開かれると、容器もまた切り開かれ、その中に収容された物質が放出されて空気中に又はパックの中のシガレット上に分散する。
現在、連続的方法によってパッケージフィルムの表面に芳香性物質を設ける必要性が当業技術に存在する。更に、パッケージに沿って引き裂き用ストリップが引っ張られる時に芳香を放出する芳香性物質の個別のポケットを設ける必要性と要望が存在する。
【０００３】
【特許文献１】米国特許第４，７１７，０１７号
【発明の開示】
【０００４】
開かれた時に新鮮さの芳香を放出するシガレットパック又は他のパッケージを提供することが本発明の目的である。また、シガレットパックの外側包装に適用することができ、かつシガレットパックの引き裂き用ストリップによって容易に開くことができる芳香性−ポケット−ラベルを提供することも本発明の目的である。
図中の同様の参照文字が同様の部分を意味する添付図面と共に以下の詳細説明を読むと、上に記したことに加えて本発明の新しい特徴及び利点が当業者に対して明らかになるであろう。
【発明を実施するための最良の形態】
【０００５】
図面をより詳細に参照すると、図１−２５は、本発明の好ましい実施形態を示している。
第１の実施形態
本発明の第１の実施形態によれば、少なくとも３つの別々の領域を備えた幅広い引き裂きテープ１０が提供される。図１に示すように、テープ１０は、基体１７の縁部に沿って又は周囲に向けて延びることができる接着面１６を備えた複数の領域を有する基体１７から形成することができる。テープ１０はまた、第３の中心領域で芳香性コーティング１８を用いて形成される。芳香性コーティングは、例えば、スプレイ、浸漬、又は他の材料又は化学的転送手段によってあらゆる公知の方法により基体１７に付加することができる。図１に示すように、テープ１０は、テープをパッケージ包装装置（図示せず）に供給することができるように、接着面１６及び芳香性コーティング１８の形成の前又は後にボビン１２上に保存することができる。
【０００６】
図３に示すように、幅の狭い引き裂き用ストリップ１４は、シガレットパックとすることができるパッケージ２２（仮想線で示した）に面する側面上のフィルム２０の内面に配置される。テープ１０は、ストリップ１４の反対側にあってそれに整列したフィルム２０の第２の側面又は外面上に付加される。接着剤１６は、フィルム２０にテープ１０を接着させ、それによって芳香性コーティング１８内で密封する単一のポケット１９又は多数の個別のポケット（図示せず）を形成する。
【０００７】
引き裂き用ストリップ１４と引き裂きテープ１０とは、ポリマーのような類似の材料とすることができる。引き裂き用ストリップ１４は、引き裂き用ストリップ１４が外側包装２０と引き裂きテープ１０との両方により確実に薄切り可能になるように引き裂きテープ１０よりも強力な材料で作ることができる。例えば、引き裂き用ストリップ１４は、ポリプロピレンとし、一方で引き裂きテープ１０は、ポリエチレンとすることができる。しかし、望ましい属性を有するあらゆる材料を使用することができる。
テープ１０とストリップ１４とがフィルム２０に取り付けられた後に、図４に示す包装されたパッケージを生産するシガレットパッケージ化の技術分野で公知のように、フィルム２０を個別のシート（図示せず）に切断してパッケージ２２の周りに包装することができる。従って、パッケージが密封されてシガレットのような密封された物品の新鮮さを維持することができる。
【０００８】
図５に示すように、上包装フィルム２０及びテープ１０を通して薄切りするように、引き裂き用ストリップ１４をパッケージ２２の表面を横切って引っ張ることができる。従って、図６に示すように、フィルム２０の上部部分２０Ａは、フィルム２０の下部部分２０Ｂから分離されて芳香が芳香ポケット１９から矢印２４の方向に放出される。
薄切りして分離する作業を簡単にするために、図７に示すカット２６及び２７をテープに設けることができる。引き裂き用タブ２５が引っ張られると、オーバーカット２６がテープ１０の一部分からタブ２５を分離する。タブ２５及び引き裂き用ストリップ１４が引っ張られると、プライムカット２７は、フィルム２０及びテープ１０の両方による引き裂き過程を誘導して開口の伝播を容易にする。ストリップ１４は、テープ１０の両側に形成された結合に基づいてテープ１０のフィルム２０の外面への拘束を助ける接着剤１６の補佐によりテープ１０を通じて引き裂かれる。引き裂きラインは、フィルム２０とテープ１０の間に開口を作り出す。この開いた間隙は、捕集された芳香がポケット１９から逃げる通路の役目をする。
【０００９】
芳香が放出された状態で、通常はユーザによって保持される芳香性コーティングがフィルム２０の下部部分に設けられるので、芳香がパッケージ２２と共に残ることができる。テープ１０の一部分を未だ保持することができるフィルム２０の上部部分は、通常はユーザによって廃棄される。このように第１の実施形態によれば、芳香性コーティングが設けられたテープ１０の大部分がパッケージ２２と共に保持されるという事実のために、芳香物は、放出されてある程度までパッケージと共に保持することができる。
【００１０】
第２の実施形態
図８−１０に示す本発明の第２の実施形態によれば、第１の実施形態で上述のものと同じ幅の引き裂きテープ１０がパッケージ２２に設けられるが、芳香性コーティングが通常は引き裂きの後にユーザによって廃棄されるフィルム２０の上部部分２０Ａに設けられるので、放出された芳香は、パッケージ２２と共に残らない。ユーザによって保持されたフィルム２０の下部部分２０Ｂは、テープ１０の一部分を未だ保持することができるが、接着剤１６を有するテープ１０の保持された部分は、相当量の芳香性コーティング１８を収容していない。従って、本発明の第２の実施形態によれば、芳香は、極めて短い持続時間を体験する。
【００１１】
第１の実施形態と同様に、図１１に示すように外側包装のフィルム２０とパッケージ２２（仮想線で示した）の間に引き裂き用ストリップ１４が配置される。テープ１０は、ストリップ１４の反対側のフィルム２０の外側に取り付けられる。接着剤１６は、テープ１０をフィルム２０に結合し、それによって芳香性コーティング１８内で密封する１つのポケット１９又は多くの個別のポケット（図示せず）を形成する。図８に示すように、テープ１０は、ストリップ１４と整列し、そのために全部とは言わないまでも大部分の芳香性コーティング１８が、フィルム２０の上部部分２０Ａに位置を定められる。
【００１２】
図９及び１０に示すように、ストリップ１４は、フィルム２０及びテープ１０を通して薄切りするようにパッケージ２２の表面を横切って引っ張ることができる。図１０に示すように、フィルム２０の上部部分２０Ａをフィルム２０の下部部分２０Ｂから分離して、それによって芳香のポケット１９から矢印２４Ａの方向に芳香を放出することができる。従って、図１２に示すように、芳香を第１の実施形態と同様の方法で第２の実施形態により放出することができる。
【００１３】
図１２に示すように、引き裂き用ストリップ１４は、テープ１０の両側に形成された結合によってテープ１０をフィルム２０の外面に拘束するのを助ける接着剤１６の補佐により、外側包装２０及びテープ１０を通じて引き裂かれる。そのような状況では、引き裂きラインは、フィルム２０と外側の基体１７の間に開口を作り出して、この開口が図９に示すように捕集された芳香が逃げる通路の役目をする。
【００１４】
代替的に、図１３に示すように、芳香物１８を露出させて芳香を放出するために、ストリップ１４は、テープ１０とフィルム２０の間に接着剤の結合を供することによってフィルム２０からテープ１０を完全に持ち上げて分離することができる。図１３に示すように基体１７をフィルム２０に取り付けるために、より弱い接着剤３０を使用することができる。この代替案によれば、テープ１０は、フィルム２０にそれほど強く接着されない。ストリップ１４がパッケージ２２（図示せず）を横切って引っ張られると、開口がフィルム２０を通って伝播して、テープ１０が引き裂き用ストリップと共にフィルム２０から完全に分離される。
【００１５】
分離作業を簡単にするために、図１４に示すオーバーカット２６をテープ１０に設けることができる。引き裂き用タブ２５が引っ張られると、オーバーカット２６がテープ１０の一部分からタブ２５を分離する。タブ２５及び引き裂き用ストリップ１４が引っ張られると、プライムカット２７は、完全に引き裂かれるか又はテープ１０を持ち上げるかのいずれかによって引き裂き過程を誘導して開口の伝播を容易にする。
テープ１０、ストリップ１４、及びフィルム部分２０Ａは、引き裂きの直後に廃棄されることが予想される。従って、芳香は、僅かに短時間の間に体験されてパッケージと共に留まることはない。
【００１６】
図１４Ａは、横断するカットライン２９及び２９Ａに沿って及び引き裂き用タブ２５のアウトラインに沿って独立した片に切断された上包装２０の連続したストリップを示している。内側の引き裂きテープ１０と幅が狭い引き裂き用ストリップ１４とは、外側包装の対向する側面で連続している。カット２９及び２９Ａが上包装２０及び引き裂き用ストリップ１４を切断する一方、引き裂き用タブのアウトラインに沿ったカットは、引き裂き用ストリップ１４を切断する。
【００１７】
第３の実施形態
図１５−１７は、引き裂き用ストリップが取り除かれた時に芳香の短い破裂を与えるポケットを備えたラベルとして付加された、第３の実施形態による本発明を示している。
第３の実施形態によれば、材料の２つの層を互いに又はフィルム２０に接着させることによって個別のポケットが形成されてラベル３０を形成する。図１８及び２０に示すように、封入材料の上部層３２が封入材料の底部層３３に取り付けられる。２つの層は、接着剤３６又はあらゆる他の従来の結合方法によって互いに保持することができ、２つの層３２及び３３が強力な接着剤３７によってフィルム２０に結合される。層３２及び３３のいずれか又は両方には、互いに面する側面に第１及び第２の実施形態に関連して上述した方法で芳香性物質を提供することができる。層３２及び３３が芳香性物質３８を完全に封入するか、又は層３２が層３３を超えて延び、層３２の重なる部分をフィルム２０に取り付けることにより、密封されたポケットを形成することができる。
【００１８】
ラベル３０は、ラベルの一部分が正反対側の引き裂き用ストリップ１４になるようにフィルム２０に取り付けることができる。ラベル３０にはまた、芳香を収容するポケットを簡単に開くようにノッチ又はニックを設けることができる。フィルム２０の上に、引き裂きを簡単にするために層３２だけのノッチを付ける必要がある。層３２が３３に重ならない場合、図１６に示すように、ポケット３９を露出して芳香性コーティング３８から芳香を放出するために、結合された層３２及び３３の一部分を取り除けるように両方の層にノッチを付けることができる。図１７に示すように、フィルム２０の上部部分２０Ａは、そこで廃棄することができる。
【００１９】
代替的に、図１９に示すように、層３２は、パッケージを開ける間にラベル３０から完全に取り除くことができる。そのような場合、層３２と３３は、ラベル３０をフィルムに取り付ける接着剤よりも強くない又は弱い接着剤によって接合することができる。図２０に示すような重なる部分には、層３２と３３とを共に結合する接着剤３６よりも強力な接着剤を設けることができる。例えば、層３２の重なる部分に対する接着剤は、ラベルのフィルム２０への接着剤の取付と同じくらい強くすることができるであろう。第３の実施形態のこの代替案によれば、ノッチは必要ではない。図１９に示すように、引き裂き用ストリップ１４が引っ張られた時に、層３２が３３から取り除かれて、それによって芳香を放出する。
【００２０】
図２０と２１に示すように、ラベル３０は、フィルム２０がパッケージ２２の周りに包装される前か又は包装された後にフィルム２０に付加することができる。引き裂き用ストリップ１４がラベル３０を横切って引っ張られる時に芳香を放出することができる。正反対側のストリップ１４に取り付けられていないラベル３０の部分は、第１及び第２の実施形態に関連して上述した望ましい芳香保持特性を得るために、大部分フィルム２０の上部部分２０Ａ又は大部分フィルム２０の下部部分２０Ｂに配置することができる。
【００２１】
第４の実施形態
図２２−２５は、芳香性コーティング４８がラベル４０上に形成されたものによる本発明の第４の実施形態である。
図２４に示すように、連続したテープ４２のボビン４１には、一方の側面にラベル４０が設けられ、他方の側面には位置合わせ孔４３が設けられて、芳香性コーティングを収容することができる。図２５に示すように、アプリケータ４４は、ラベルがテープ４２から剥がされて上包装２０に付加される直前に、位置合わせ孔４３によりラベル４０まで芳香性コーティングを設けることができる。
【００２２】
ラベル４０は、ホイール４５によってフィルム２０に向けて送られる。ラベル４０がフィルム２０と近接した状態になると、ラベルの縁部がテープ４２から分離されて、ラベル４０がフィルム２０に取り付けられる。このようにして、芳香４８がフィルム２０とラベル４０との間で封入状態になる。ラベル４０は、ラベル４０の少なくとも一部分がフィルム２０上で反対側の引き裂き用ストリップ１４に設けられるように送られる。フィルムは、次に、個別のシートに切断され、公知の方法により外側の添付ラベル４０と共にパッケージ２２の周りに包装され、図２２及び２３に示す包装されたパッケージを生産する。
【００２３】
ラベル４０をフィルム２０に取り付けるための接着剤４６は、芳香性を十分に強く封入するが、引き裂き用ストリップ１４によってラベルを容易に取り外すことができるように、十分に弱く形成することができる。図２３に示すように、引き裂き用ストリップ１４がパッケージ２２の表面を横切って引っ張られた時に、フィルム２０の上部部分２０Ａは、下部部分２０Ｂから分離することができる。ストリップがラベルに沿って引っ張られると、ラベルは、フィルム２０の表面から完全に取り外される。このようにして、芳香性が大気中に露出されて芳香が放出される。
代替的に、ラベル４０をフィルム２０に取り付けるための接着剤４６は、引き裂き用ストリップ１４がパッケージ２２の表面を横切って引っ張られた時に、テープ１４がラベル４０を通して薄切りされ、芳香性のコーティングを露出させて芳香を放出するように、十分に強く形成することができる。
フィルムがパッケージ２２の周りに包装される前か又は包装された後に、ラベル３０及び４０をフィルム２０に付加することができることに注意すべきである。ラベルは、広告情報を含むように印刷することができる。そのようなラベルは、あらゆる販売促進目的で製造業者又は小売り業者によってパッケージ２２に配置することができる。
【００２４】
本発明の先の説明は、本発明を例示して説明したものである。更に、本発明の開示では、本発明の好ましい実施形態のみを示して説明したが、上の教示及び／又は包装技術分野の習熟技術又は知識及びより具体的にはシガレットの包装に応じて、本発明は、多種多様な他の組合せ、修正、及び環境において使用可能であり、本明細書で表現した本発明の本発明の概念の範囲内での変更又は修正が可能であることは理解されるものとする。
【００２５】
上述の実施形態は、更に、本発明を実施する公知の最良の形態を説明すると同時に、当業者がこのような又は他の実施形態かつ本発明の特定の用途又は使用によって必要とされる多種多様な修正を行って本発明を利用するのを可能にするように意図されている。従って、以上の説明は、本発明を本明細書に開示した形態に制限するようには意図されていない。また、特許請求の範囲が代替的な実施形態を含むように解釈されるようにも意図されている。
【図面の簡単な説明】
【００２６】
【図１】テープに付加された芳香及び接着剤と共にボビンに巻かれた幅の広い引き裂きテープの斜視図である。
【図２】本発明の一実施形態による引き裂きテープのその後部から見た拡大部分斜視図である。
【図３】図２の線Ａ−Ａに沿った横断面図である。
【図４】本発明の第１の実施形態による引き裂きテープを備えたヒンジ蓋シガレットパックの斜視図である。
【図５】芳香ポケットを露出させるために内側から外に引っ張られた薄い引き裂きテープを示す図である。
【図６】添付された芳香ポケットから放出された芳香を示す図である。
【図７】シガレットパックが開けられた時に薄い引き裂き用ストリップによる及びそれを用いた幅広い引き裂きテープを通じたカットを示す部分斜視図である。
【図８】芳香の短い破裂を与える上包装の上部上の芳香性コーティングが完全に取り除かれた本発明の第２の実施形態による引き裂きテープを備えたヒンジ蓋シガレットパックの斜視図である。
【図９】芳香の短い破裂を与える上包装の上部上の芳香性コーティングが完全に取り除かれた本発明の第２の実施形態による引き裂きテープを備えたヒンジ蓋シガレットパックの斜視図である。
【図１０】芳香の短い破裂を与える上包装の上部上の芳香性コーティングが完全に取り除かれた本発明の第２の実施形態による引き裂きテープを備えたヒンジ蓋シガレットパックの斜視図である。
【図１１】図８に示す引き裂きテープの立面の断面図である。
【図１２】図９に示す引き裂きテープの立面の断面図である。
【図１３】図１０に示す引き裂きテープの立面の断面図である。
【図１４】引き裂き用ストリップ及び引き裂きテープを通じたカットを示す部分斜視図である。
【図１４Ａ】１つがシガレットパックに重なる連続したシートの個別の部分へのカットを示す図１４に類似した斜視図である。
【図１５】芳香が、引き裂き用ストリップが取り除かれた時に芳香の短い破裂を与えるポケットを備えたラベルとして付加される、本発明の第３の実施形態による引き裂きテープを備えたヒンジ蓋シガレットパックの斜視図である。
【図１６】芳香が、引き裂き用ストリップが取り除かれた時に芳香の短い破裂を与えるポケットを備えたラベルとして付加される、本発明の第３の実施形態による引き裂きテープを備えたヒンジ蓋シガレットパックの斜視図である。
【図１７】芳香が、引き裂き用ストリップが取り除かれた時に芳香の短い破裂を与えるポケットを備えたラベルとして付加される、本発明の第３の実施形態による引き裂きテープを備えたヒンジ蓋シガレットパックの斜視図である。
【図１８】図１５の線Ｃ−Ｃに沿った引き裂きテープの立面の断面図である。
【図１９】本発明の第３の実施形態の２部ラベルの分解組立斜視図である。
【図２０】本発明の第３の実施形態の修正芳香ラベルの斜視図である。
【図２１】図２０と類似しているが香味を放出するために開いたラベルを示す図である。
【図２２】密封された芳香ラベルが上包装の外面上に付加されてシガレットパックが開かれた時に引き裂き用ストリップを用いて完全に取り除かれる本発明の第４の実施形態の正面図である。
【図２３】円形形状の芳香ラベルが引き裂き用ストリップを取り除くことによって露出する本発明の第４の実施形態の正面図である。
【図２４】芳香性コーティングを受け取るために一方の側面にラベルと他方の側面に位置合わせ孔とを有する連続テープのボビンの斜視図である。
【図２５】上包装機械と一線にラベルに芳香性コーティングを付加し、かつ上包装の外側にラベルと上包装の内側に引き裂き用ストリップとを同時に取り付ける方法を示す図式断面図である。
【符号の説明】
【００２７】
１４  引き裂き用ストリップ
１９  密封ポケット
２０  パッケージの上包装
２２  シガレットパッケージ
【図１】
2008545597.tif 000003
【図２】
2008545597.tif 000004
【図３】
2008545597.tif 000005
【図４】
2008545597.tif 000006
【図５】
2008545597.tif 000007
【図６】
2008545597.tif 000008
【図７】
2008545597.tif 000009
【図８】
2008545597.tif 000010
【図９】
2008545597.tif 000011
【図１０】
2008545597.tif 000012
【図１１】
2008545597.tif 000013
【図１２】
2008545597.tif 000014
【図１３】
2008545597.tif 000015
【図１４】
2008545597.tif 000016
【図１４Ａ】
2008545597.tif 000017
【図１５】
2008545597.tif 000018
【図１６】
2008545597.tif 000019
【図１７】
2008545597.tif 000020
【図１８】
2008545597.tif 000021
【図１９】
2008545597.tif 000022
【図２０】
2008545597.tif 000023
【図２１】
2008545597.tif 000024
【図２２】
2008545597.tif 000025
【図２３】
2008545597.tif 000026
【図２４】
2008545597.tif 000027
【図２５】
2008545597.tif 000028
【国際調査報告】
2008545597.tif 000029
2008545597.tif 000030
2008545597.tif 000031